(57)【特許請求の範囲】
【請求項１】
茎付き花を支持可能な茎付き花セット台において、茎付き花を上向きに支持可能な底板と、底板の側方に設けられた側板を備え、底板には茎付き花の茎を差込み可能な差込み孔が開口され、側板は底板にセットされる茎付き花を外部から区画できるように底板の上方に立ち上げられ、側板の上部は茎付き花を出し入れできるように開口され、側板の下部は底板の下方に突設され、底板の下と側板下部との間に止め具収容空間が形成され、止め具収容空間は底板の差込み孔から差込まれて底板の裏側に突出する茎付き花の茎を収容可能な深さであり、その茎に取付けて底板の差込み孔からの茎の抜けを防止する止め具をも収容可能な深さと広さであることを特徴とする茎付き花セット台。
【請求項２】
請求項１記載の茎付き花セット台において、底板と側板と止め具収容空間が板材を折り曲げて形成され、板材に底板が設定され、底板の外側が底板裏面より下方まで突出して折り曲げられて側板下部が形成され、前記底板と側板下部の内側に止め具収容空間が形成され、前記側板下部を上方に折り返して底板の側方上方へ突出する側板上部が形成されたことを特徴とする茎付き花セット台。
【請求項３】
請求項１又は請求項２記載の茎付き花セット台において、底板が二以上の茎付き花を支持可能な大きさであり、その底板に茎付き花を差込み可能な差込み孔が二以上形成されたことを特徴とする茎付き花セット台。
【請求項４】
茎付き花を支持可能な茎付き花セット台と、その茎付き花セット台を出し入れ可能なケースを備えた茎付き花収容容器において、前記茎付き花セット台は請求項１乃至請求項３のいずれかに記載の茎付き花セット台であり、前記ケースはその上部に茎付き花セット台を出し入れ可能な開口部が形成され、ケースの下部に底が形成され、茎付き花セット台をその側板下部がケースの底に突き当たるまで前記ケースの開口部から押し込んでケース内に収容すると、前記茎付き花セット台の止め具収容空間が底板の内側に確保されることを特徴とする茎付き花収容容器。
【請求項５】
茎付き花を支持可能な茎付き花セット台と、その茎付き花セット台を出し入れ可能なケースを備えた茎付き花収容容器であり、茎付き花セット台は、茎付き花を上向きに支持可能な底板と、底板の側方に設けられた側板を備え、底板には茎付き花の茎を差込み可能な差込み孔が開口され、側板は底板にセットされる茎付き花を外部から区画できるように底板の上方に立ち上げられ、側板の上部は茎付き花を出し入れできるように開口されており、ケースはその上部に茎付き花セット台を出し入れ可能な開口部が形成され、周壁内下部に上げ底が形成され、上げ底に差込み孔が形成され、上げ底の下に止め具収容空間が形成され、茎付き花セット台を前記ケースの開口部から押し込んでその底板がケースの上げ底に突き当たるまでケース内に収容すると茎付き花セット台の底とケースの底の内面との間に止め具収容空間が形成され、止め具収容空間は茎付き花セット台の底板の差込み孔から差込まれて底板の裏側に突出する茎付き花の茎を収容可能な深さであり、その茎に取付けて底板の差込み孔からの茎の抜けを防止する止め具をも収容可能な広さであることを特徴とする茎付き花収容容器。
【請求項６】
請求項４又は請求項５記載の茎付き花収容容器であり、ケースの底に又は底から側面にかけて、ケース内に収容された茎付き花セット台をケースの開口部から押出し可能な押出し口が開口されたことを特徴とする茎付き花収容容器。
【請求項７】
請求項４乃至請求項６のいずれかに記載の茎付き花収容容器において、ケースの周壁が他のケースを重ねることのできる形状であることを特徴とする茎付き花収容容器。
【請求項８】
請求項４乃至請求項７のいずれかに記載の茎付き花収容容器において、ケースの周壁の開口縁部に、ケース内に収容された茎付き花セット台をケースの開口部から引き出し可能な摘み口が形成されたことを特徴とする茎付き花収容容器。
【請求項９】
請求項４乃至請求項８のいずれかに記載の茎付き花収容容器において、ケースは茎付き花セット台の下部を収容可能な箱状の下ケースと、茎付き花セット台の上部に被せることのできる箱状の上ケースで構成され、下ケースは茎付き花セット台の下側を出し入れ可能な開口部と茎付き花セット台を支持する底を備え、上ケースはケース内に収容されている茎付き花セット台にセットされた茎付き花を外部から見えるように天井が開口していることを特徴とする茎付き花収容容器。
【発明の詳細な説明】
【技術分野】
【０００１】
本発明は、プリザーブドフラワー、ドライフラワー、生花といった各種茎付き花を収容して、保管、輸送、展示、販売等が可能な茎付き花セット台とその茎付き花セット台を備えたその茎付き花セット収容容器に関するものである。
【背景技術】
【０００２】
従来、花、特に、プリザーブドフラワーのように生花を加工した花の収容、保管、輸送、展示等には図９に示すような収容箱Ａが用いられている。図９の収容箱Ａは一つの大きな箱を仕切り壁Ｂによって仕切って複数の収容空間に区画したものであり、各収容空間に花Ｃを収容できるようにしてある。各収容空間内の花Ｃの周囲には花を保護するための紙片等の緩衝材Ｄが収容されている。
【発明の開示】
【発明が解決しようとする課題】
【０００３】
図９の収容箱に花を収容する場合、次のような課題があった。
（１）花が収容空間内で固定されず、自由に動くため、輸送中に箱内で動いて花が損傷し易い。場合によっては箱が逆さになると花が収容空間から飛び出して損傷することもある。いずれの場合も輸送時の歩留まりが悪く、花がコスト高になる。
（２）収容空間内から花を取り出す際に、花を指で摘んで引き出すか、収容空間内の花の横の隙間に指を差込んで花を持ち上げたりしなければならないため、花が壊れることがあり、歩留まりが悪く、コスト高になる。
（３）花を一輪ずつ収容したり包装したりする容器が無いため、花を一輪ずつバラ売りしにくく、箱単位で纏め売りせざるを得なかった。そのため、購入者側にとっては必要量よりも多くの花を買わざるを得ず、無駄になり、価格も高くなる。このため、消費者は欲しくても纏め買いを控える傾向にあり、販売が伸び悩み傾向にある。
【課題を解決するための手段】
【０００４】
本発明は、茎付き花を一個ずつ個別に収容でき、そのまま保管、輸送、展示、販売等を行うのに適する容器であり、特に、出し入れ時に損傷し易いプリザーブドフラワー、生花のような花の収容に適し、茎付き花の取出しが容易であり、輸送時や取り出し時に茎付き花が損傷しにくいものである。
【０００５】
本件出願の茎付き花セット台は、請求項１記載のように、茎付き花を支持可能な茎付き花セット台において、茎付き花を上向きに支持可能な底板と、底板の側方に設けられた側板を備え、底板には茎付き花の茎を差込み可能な差込み孔が開口され、側板は底板にセットされる茎付き花を外部から区画できるように底板の上方に立ち上げられ、側板の上部は茎付き花を出し入れできるように開口され、側板の下部は底板の下方に突設され、底板の下と側板下部との間に止め具収容空間が形成され、止め具収容空間は底板の差込み部から差込まれて底板の裏側に突出する茎付き花の茎を収容可能な深さであり、その茎に取付けて底板の差込み孔からの茎の抜けを防止する止め具をも収容可能な広さであることを特徴とするものである。
【０００６】
本件出願の茎付き花セット台は、請求項２記載のように、前記茎付き花セット台において、底板と側板と止め具収容空間が板材を折り曲げて形成され、板材に底板が設定され、底板の外側が底板裏面より下方まで突出して折り曲げられて側板下部が形成され、前記底板と側板下部の内側に止め具収容空間が形成され、前記側板下部を上方に折り返して底板の側方上方へ突出する側板上部が形成されたことを特徴とするものである。
【０００７】
本件出願の茎付き花セット台は、請求項３記載のように、前記茎付き花セット台において、底板が二以上の茎付き花を支持可能な大きさであり、その底板に茎付き花を差込み可能な差込み孔が二以上形成されたことを特徴とするものである。
【０００８】
本件出願の茎付き花収容容器は、請求項４記載のように、茎付き花を支持可能な茎付き花セット台と、その茎付き花セット台を出し入れ可能なケースを備えた茎付き花収容容器において、前記茎付き花セット台は前記記載のいずれかに記載の茎付き花セット台であり、前記ケースはその上部に茎付き花セット台を出し入れ可能な開口部が形成され、ケースの下部に底が形成され、茎付き花セット台をその側板下部がケースの底に突き当たるまで前記ケースの開口部から押し込んでケース内に収容すると、前記茎付き花セット台の止め具収容空間が底板の内側に確保されることを特徴とするものである。
【０００９】
本件出願の茎付き花収容容器は、請求項５記載のように、茎付き花を支持可能な茎付き花セット台と、その茎付き花セット台を出し入れ可能なケースを備えた茎付き花収容容器であり、茎付き花セット台は、茎付き花を上向きに支持可能な底板と、底板の側方に設けられた側板を備え、底板には茎付き花の茎を差込み可能な差込み孔が開口され、側板は底板にセットされる茎付き花を外部から区画できるように底板の上方に立ち上げられ、側板の上部は茎付き花を出し入れできるように開口されており、ケースはその上部に茎付き花セット台を出し入れ可能な開口部が形成され、周壁内下部に上げ底が形成され、上げ底に差込み孔が形成され、上げ底の下に止め具収容空間が形成され、茎付き花セット台を前記ケースの開口部から押し込んでその底板がケースの上げ底に突き当たるまでケース内に収容すると茎付き花セット台の底とケースの底の内面との間に止め具収容空間が形成され、止め具収容空間は茎付き花セット台の底板の差込み孔から差込まれて底板の裏側に突出する茎付き花の茎を収容可能な深さであり、その茎に取付けて底板の差込み孔からの茎の抜けを防止する止め具をも収容可能な広さであることを特徴とするものである。
【００１０】
本件出願の茎付き花収容容器は、請求項６記載のように、ケースの底に又は底から側面にかけてケース内に収容された茎付き花セット台をケースの開口部から押出し可能な押出し口を開口されたものとすることができる。ケースは請求項７記載のようにケースの周壁が他のケースを重ねることのできる形状とすることも、請求項８記載のようにケースの周壁の開口縁部に、ケース内に収容された茎付き花セット台をケースの開口部から引き出し可能な摘み口を形成することもできる。また、請求項９記載のように茎付き花セット台の下部を収容可能な箱状の下ケースと、茎付き花セット台の上部に被せることのできる箱状の上ケースで構成され、下ケースは茎付き花セット台の下側を出し入れ可能な開口部と茎付き花セット台を支持する底を備え、上ケースはケース内に収容されている茎付き花セット台にセットされた茎付き花を外部から見えるように天井が開口しているものとすることもできる。
【発明の効果】
【００１１】
本発明は次のような効果がある。
（１）茎付き花を差込んでセットした茎付き花セット台を茎付き花ごとケース内に収容すれば、茎付き花がケース内で不用意に動かず損傷しにくい。
（２）ケースの開口部は茎付き花をセットした茎付き花セット台を出し入れ可能であるため、茎付き花セット台をスライドさせるだけで茎付き花を手軽にケースに入れたりケースから引き出したりすることができる。
（３）ケースの底に茎付き花セット台を押出す押出し口が開口されているため、茎付き花セット台を押出し口から指で押して茎付き花に指や手を触れずに茎付き花をケースから取り出すことができ、茎付き花が損傷しない。
（４）茎付き花セット台に差込んだ茎付き花を茎付き花セット台の裏側から挟着固定する止め具を備えるので、止め具で茎付き花を茎付き花セット台に固定して輸送中に容器が動いても内部の茎付き花が破損せず、容器が逆さになっても花が茎付き花セット台から脱落しないので、花が毀損せず、歩留まりが良い。
（５）ケースの周壁に摘み口を開口し、摘み口からケース内の側板を摘んで茎付き花セット台を引出し可能としたので茎付き花をケースから取出し易くなる。また、茎付き花に手を触れることもないので取出しの際に茎付き花が壊れることもない。
（６）一つの容器に茎付き花を一つずつ収容できるので、茎付き花を一つずつ販売することができる。従って、購入者側にとっては茎付き花を必要な量だけ購入することができ、無駄が無い。販売者はバラ売りができるので販売効率も良い。
（７）ケースが横積みできるため、多数のケースを重ねて開口部を横向きにして、ケース内の茎付き花を横から見えるようにすることができ、上向きの開口部から覗く場合よりも茎付き花が見易くなる。
（８）ケース内に茎付き花セット台ごと茎付き花を収容するので、ケースが茎付き花セット台で支持（補強）されて変形しにくくなる。
【発明を実施するための最良の形態】
【００１２】
（実施形態１）
本発明の容器の実施形態を茎付き花がプリザーブドフラワー、ドライフラワー、生花、造花といった花の場合を一例として図１〜図４に基づいて説明する。図１、図２に示す容器１は花２をセット可能な茎付き花セット台３と、その茎付き花セット台３を収容可能な上方開口のケース４を備えている。
【００１３】
茎付き花セット台３は図２、図３に示すように、一枚の板材を折り曲げて二枚の側板５を対向させ、底板６の両側から二枚の側板５を立ち上げてある。底板６の中央には花２の茎部８を差込み可能な差込み孔９が開口されている。二枚の側板５は花２の背丈よりも長くして差込み孔９に差し込まれた花２が両側板５の上方に突出しないようにしてある。また、図３に示すように茎付き花セット台３をケース４に収容した際にケース４の開口部７から突出しない高さとしてある。茎付き花セット台３の底板６は図３に示すように二枚の側板５の下端に支持突起５ａを形成し、その間の底板６を支持突起５ａよりも一段上げて底上げ状態にしてある。底上げ状態にすることにより、茎付き花セット台３をケース４内に収容したとき茎付き花セット台３の底板６とケース４の底板６との間に止め具収容空間１０が形成されるようにしてある。前記差込み孔９は、孔には限られず、花２の茎部８を差込み可能であれば、底板６に切り込みを形成した形としたり、二分割したものを組合わせる形とする等、任意の構造とすることができる。
【００１４】
ケース４は四角形の箱であり、軸方向一端に開口部７が形成され、それと反対側に底１３が形成されている。底１３には押出し口１４が開口されている。また、対向する二つの周壁に摘み口１２が開口されている。摘み口１２は指が入る程度の幅であり、上端が開口部７に開通して、ケース４内に収容されている茎付き花セット台３の側板５の上端部を指で摘んでケース４から引き出し可能としてある。摘み口１２は周壁の一箇所にだけ形成したり、一つも形成しなかったりすることもできる。
【００１５】
茎付き花セット台３もケース４も紙、樹脂といった材質製とすることができる。紙の場合はそれを折り曲げて茎付き花セット台３、ケース４を作ることができ、樹脂の場合は成型により作ることができる。茎付き花セット台３もケース４も透明、半透明、不透明とすることができる。透明、半透明とした場合は、ケース４内に収容されている茎付き花をケース４の側面からも見ることができる。また、ケース４、茎付き花セット台３に覗き窓を形成することもできる。茎付き花セット台３の形状もケース４の形状も図示した以外の形状とすることができる。ケース４の場合は横向きにして積み重ねることのできる形状、例えば、三角、五角、六角、八角といった有底筒状とすることができる。この場合は茎付き花セット台の形状もケースの形状に合せた形状とする。
【００１６】
本発明の容器に花を収容するには例えば次のようにする。
（１）図２に示すように茎付き花セット台３の底板６の差込み孔９に花２の茎部８を差込んで、茎部８を底板裏面に突出させ、突出した茎部８をクリップで挟むとか、茎部８に虫ピンを貫通するなどして茎部８が底板６から抜けないようにする。クリップや虫ピンは茎部８が底板６から抜けないようにするための止め具１１であり、それら以外の適宜の止め具１１を使用することができる。
（２）前記のように花２をセットした茎付き花セット台３をケース４の開口部７から、ケース４内に押し込む。この場合、止め具１１は図３、図４に示すように茎付き花セット台３の底板６とケース４の底板６の間の止め具収容空間１０内に収容されて、ケース４の底１３より外に突出せず、ケース４が安定する。
（３）前記（１）において花２の茎部８に止め具１１を取り付けずに、前記（２）のように、茎付き花セット台３を収容してから、ケース４の押出し口１４から止め具１１を差し込んでその止め具１１を茎部８に取付けることもできる。いずれにしても、止め具１１を茎部８に取付けることにより、ケース４を逆さにしても花２が茎付き花セット台３から脱落しなくなる。
（４）図２、図３に示すように茎付き花セット台３にセットされた花２の周囲には緩衝材１５を入れて花２を保護できるようにしてある。緩衝材１５には紙片、スポンジ、発泡スチロール等の花２の保護に適するものを使用することができる。
【００１７】
本発明の容器に収容されている花をケースから取り出すには例えば次のようにする。
（１）花２の茎部８に係止してある止め具１１を外してから、又は外さずにそのままで、ケース４の押出し口１４からケース４内の茎付き花セット台３の底板６を押して、花２がセットされている茎付き花セット台３の上部をケース４の開口部７から押し出すか、摘み口１２から茎付き花セット台３の側板５の上部を指で摘んで茎付き花セット台３をケース４から引出す。
（２）茎付き花セット台３の二枚の側板５間の空間から花を手で取り出す。
【００１８】
（容器の実施形態２）
本発明の容器の他の実施形態を図５に基づいて説明する。図５に示す容器１も茎付き花セット台３と、茎付き花セット台３を収容可能なケース４を備えていることにおいて実施形態１と同じであるが、茎付き花セット台３、ケース４の構造が異なる。図５のものは、茎付き花セット台３の底板６は底上げせずに平板状にし、ケース４の下端を上方に折り返して底面１３を上げ底にして、その底面１３の下方に止め具収容空間１０が形成されている。また、ケース４の底面１３に押出し口１４が開口され、対向する二枚の周壁に摘み口１２が形成されている。
【００１９】
図５に示すように茎付き花セット台３をケース４内に収容すると、茎付き花セット台３の底板６がケース４の上げ底の底面１３の上に押しつけられる。ケース４内に収容されている花２を取り出すには、ケース４の底面１３の押出し口１４から茎付き花セット台３の底板６の裏側を押して、茎付き花セット台３をケース４から押出すか、摘み口１２からセット台３の側板５を摘んで茎付き花セット台３をケース４から引出すことができる。押し出され或は引き出された茎付き花セット台３の二枚の側板５間から指を差し込んで、花２を取り出すことができる。
【００２０】
（容器の実施形態３）
ケース４の押出し口１４は、例えば、図６に示すようにケースの側面から底面にかけてＬ字状に形成して、押出し口１４の下から指でケース内の茎付き花セット台３を押出しできるようにすることもできる。この場合の押出し口１４は幅を広くしたり、狭くしたりすることができ、また、開口高さを高くしたり低くしたりすることもできる。
【００２１】
（容器のその他の実施形態）
本発明の容器のケース４の押出し口１４は四角形以外の形状であってもよく、円形とか他の任意形状とすることができる。ケース４の摘み口１２の形状も半円形とか他の任意形状とすることができる。押出し口１４や摘み口１２の大きさも任意に選択することが出来る。
【００２２】
本発明の容器は図７に示すように、花２を収容した容器１をその開口部７を横向きにして積み重ねて、ケース４内の花２を横から見えるようにすることもできる。このためには、ケース４を硬質材製にして、積み重ねた容器の荷重で変形しないようにするのが望ましい。
【００２３】
本発明の容器は花を数輪収容できる大きさにして、一つの容器に色の異なる数個の花をセットで収容することができるようにすることもできる。この場合はケースに収容する茎付き花セット台を大きくして、それに数個の差し込み孔を間隔を設けてあけておき、それら差し込み孔に花を差し込み、花の茎部に止め具を取り付けて容器を逆さにしても花が茎付き花セット台から脱落しないようにする。ケースの開口部にはフィルムや蓋を被せて、容器に収容されている花が汚れにくく、損傷しにくくなるようにすることもできる。
【００２４】
ケースは図８のように、茎付き花セット台３の底側（４ａ）とそれと反対側の両側（４ｂ）から被せる２つのケース４ａ、４ｂにすることもできる。この場合は茎付き花セット台３の底側のケース４ａを有底にして茎付き花セット台３が抜け落ちないようにし、茎付き花セット台３の上方に被せるケース４ｂは貫通する筒状にして、その天井の開口部１６から容器内の花２を見ることができるようにする。
【００２５】
茎付き花セット台の二枚の側板は必ずしも同じ高さである必要はなく、一方を高く、他方を低くすることも可能である。また、二枚の側板は必ずしも対向する必要はなく、隣接する二面に形成することもできる。
【産業上の利用可能性】
【００２６】
本発明の容器は、花の収容に限らず、紙細工やガラス細工等の破損し易いものの収容に利用することもできる。
【図面の簡単な説明】
【００２７】
【図１】本発明の容器の実施形態の一例を示す上方斜視図。
【図２】図１に示す容器の分解斜視図。
【図３】図１に示す容器に花を収容した状態の側面断面図。
【図４】図１に示す容器に花を収容して止め具を取り付けた状態の底面斜視図。
【図５】本発明の容器の第２の実施形態を示す側面断面図。
【図６】本発明の容器の第３の実施形態を示す上方斜視図。
【図７】花を収容した本発明の容器を横向きに積層した説明図。
【図８】本発明の容器のその他の実施形態の一例を示す分解斜視図。
【図９】従来の花収容容器の花収容状態を示す上方斜視図。
【符号の説明】
【００２８】
１  容器
２  花
３  茎付き花セット台
４  ケース
５  側板
６  底板
７  開口部
８  茎部
９  差込み孔
１０  止め具収容空間
１１  止め具
１２  摘み口
１３  底
１４  押出し口
１５  緩衝材
【図１】
0004178324.tif 000002
【図２】
0004178324.tif 000003
【図３】
0004178324.tif 000004
【図４】
0004178324.tif 000005
【図５】
0004178324.tif 000006
【図６】
0004178324.tif 000007
【図７】
0004178324.tif 000008
【図８】
0004178324.tif 000009
【図９】
0004178324.tif 000010